(57)【要約】【課題】  ジャムシートの除去を容易に行えるようにする。【解決手段】  シート反転搬送装置１３は、給送口から給送されたシートを反転案内し、排出口から排出するための略Ｕ字状の内側壁１３ｂ２ａと内側壁に対向する外側壁１３ｂ１ａ，１３ｂ３ａとを有するＵターンパス１３ｂと、Ｕターンパス１３ｂに設けられてシートを搬送する反転メインローラ１３ａ、従動ころ１３ａ１，１３ａ２と、外側壁が、シート搬送方向の上流側部分１３ｂ１ａと下流側部分１３ｂ３ａとに分割されて内側壁に対して接近離間可能に支持されている。上流側部分１３ｂ１ａと下流側部分１３ｂ３ａとを内側壁１３ｂ２ａから離すと、Ｕターンパス１３ｂが開放されて、ジャムシートの除去を行える。【選択図】      図２
2006240767.tif 000002
【特許請求の範囲】
【請求項１】
シートが給送される給送口と、
前記シートが排出される排出口と、
前記給送口から給送されたシートを反転案内し、前記排出口から排出するための略U字状の反転搬送路と、
前記反転搬送路に設けられて前記シートを搬送するシート搬送手段と、を備え、
前記反転搬送路が、内側壁と前記内側壁に対向する外側壁とによって形成され、
前記外側壁が、シート搬送方向の上流側部分と下流側部分とに分割されて夫々が前記内側壁に対して開閉可能に支持されていることを特徴とするシート反転搬送装置。
【請求項２】
前記上流側部分の回動中心が前記シート搬送方向の下流側に設定され、前記下流側部分の回動中心が前記シート搬送方向の上流側に設定されていることを特徴とする請求項１に記載のシート反転搬送装置。
【請求項３】
前記シート搬送手段が、前記シートを搬送する回転体対を有し、前記回転体対の駆動回転体を前記内側壁側に備え、前記回転体対の従動回転体を前記外側壁側に設けたことを特徴とする請求項１又は２に記載のシート反転搬送装置。
【請求項４】
前記上流側部分の回動によって前記給送口が開放され、前記下流側部分の回動によって前記排出口が開放されることを特徴とする請求項１乃至３のいずれか１項に記載のシート反転搬送装置。
【請求項５】
前記給送口に設けられ、シートを１枚ずつに分離するための分離ローラを有し、
前記分離ローラは、前記上流側部分と一体で回動することを特徴とする請求項１乃至４のいずれか１項に記載のシート反転搬送装置。
【請求項６】
原稿を反転搬送するシート反転搬送装置と、
前記シート反転搬送装置によって搬送される原稿を読み取る画像読取手段と、を備え、
前記シート反転搬送装置が、請求項１ないし５のいずれか１項に記載のシート反転搬送装置であり、
前記画像読取手段が、前記シート反転搬送装置の反転搬送路の前記原稿の反転開始位置より原稿搬送方向の下流側に設けられていることを特徴とする画像読取装置。
【請求項７】
前記画像読取手段が前記下流側部分と一体で回動することを特徴とする請求項６に記載の画像読取装置。
【請求項８】
原稿の画像を読み取る画像読取装置と、
前記画像読取装置の画像読取情報に基づいてシートに画像を形成する画像形成装置と、を備え、
前記画像読取装置が請求項６または７に記載の画像読取装置であることを特徴とする画像読取形成装置。
【請求項９】
前記画像形成装置が、画像が形成されるシートが積載されるシート積載手段を備え、
前記画像読取装置の前記反転搬送路が前記シート積載手段の上方に縦に配設されて、前記シート積載手段と前記反転搬送路との間に前記外側壁の下流側部分が下方へ回転するのを許容する領域を備えたことを特徴とする請求項８に記載の画像読取形成装置。
【発明の詳細な説明】
【技術分野】
【０００１】
本発明は、原稿を反転搬送するシート反転搬送装置と、このシート反転搬送装置によって搬送される原稿を読み取る画像読取装置と、この画像読取装置及び画像読取装置の画像読取情報に基づいてシートに画像を形成する画像形成装置を備えた画像読取形成装置とに関する。
【背景技術】
【０００２】
従来、シートを反転搬送するシート反転搬送装置がある（特許文献１，２参照）。
【０００３】
図５（ａ）は、特許文献１に記載のシート反転搬送装置の概略正面断面図である。このシート反転搬送装置１０１は、Ｕ字状の反転搬送路１０２を備えて、原稿を読み取る画像読取装置に組み込まれているため、反転搬送路１０２に原稿を読み取る読取部１０３が設けられている。そして、シート反転搬送装置１０１は、反転搬送路１０２の下外周ガイド１０２ａが、最下面に固定配置されたスキャナユニット１０４に形成されている。そして、上部の原稿搬送ユニット１０５が、軸受部１０６によってスキャナユニット１０４に回動自在に設けられている。原稿が詰まったとき、ユーザが上外周ガイド１０２ｂを含む上部の原稿搬送ユニット１０５を上側に回動させると（図５（ｂ））、下外周ガイド１０２ａに解放されて、詰まった原稿（ジャム原稿）を取り除くことができるようになっている。
【０００４】
図６は、特許文献２に記載のシート反転搬送装置の概略正面断面図である。このシート反転搬送装置２０１も、Ｕ字状の反転搬送路２０２を備えて、原稿を読み取る画像読取装置に組み込まれている。シート反転搬送装置２０１は、反転搬送路２０２の下外周ガイド２０２ａが、最下面に固定配置されたスキャナユニット２０４に形成されている。そして、上部の原稿搬送ユニット２０５が、軸受部２０６によってスキャナユニット２０４に回動自在に設けられている。原稿搬送ユニット２０５は、ローラハウジング２０７とカバー２０８とで形成されている。
【０００５】
図６に示すシート反転搬送装置２０１は、原稿が詰まったとき、ユーザが上部の原稿搬送ユニット２０５を上側に回動させると（図６（ｂ））、下外周ガイド２０２ａに解放されて、下外周ガイド２０２ａに詰まった原稿（ジャム原稿）を取り除くことができるようになっている。また、カバー２０８を開くと上外周ガイド２０２ｂ（図６（ａ）参照）に詰まった原稿（ジャム原稿）を取り除くことができるようになっている（図６（ｃ））。
【０００６】
【特許文献１】特開平１０−１２６５６９号公報
【特許文献２】特開平１０−１７１７６号公報
【発明の開示】
【発明が解決しようとする課題】
【０００７】
しかし、従来のシート反転搬送装置１０１，２０１において、ユーザが持ち上げる原稿搬送ユニット１０５，２０５には、通常、モータなどの駆動系、搬送ローラ、ギア、クラッチ等の作動精度が高く、かつ重量の重い部品が設けられていることが多い。しかも、上外周ガイド１０２ｂ，２０２ｂも一緒に持ち上げるため、原稿搬送ユニット１０５，２０５は、より一層重かった。
【０００８】
このため、ユーザは、重い原稿搬送ユニット１０５，２０５を片手で持ち上げながら、他方の手で、ジャム原稿を除去しなければならなかった。
【０００９】
したがって、従来のシート反転搬送装置は、ジャム原稿の除去作業を行いにくいという問題があった。また、ジャム原稿の除去作業に時間を要していた。
【００１０】
また、従来のシート反転搬送装置を備えた画像読取装置は、ジャム原稿の除去作業に時間を要するため、その間、原稿の画像を読み取ることができず、画像読取能率が悪かった。
【００１１】
さらに、従来の画像読取装置と、この画像読取装置からの画像読取信号に基づいてシートに画像を形成する画像読取装置とを備えた画像読取形成装置は、ジャム原稿の除去作業に時間を要するため、その間、シートに画像を形成することができず、画像形成能率が悪かった。
【００１２】
本発明は、ジャムシートの除去を容易に行えるシート反転搬送装置を提供することを目的としている。
【００１３】
本発明は、ジャム原稿の除去を容易に行えるシート反転搬送装置を備えて画像読取能率の向上させた画像読取装置を提供することを目的としている。
【００１４】
本発明は、ジャム原稿の除去を容易に行えるシート反転搬送装置を備えて画像形成能率の向上させた画像読取形成装置を提供することを目的としている。
【課題を解決するための手段】
【００１５】
上記目的を達成するため、本発明のシート反転搬送装置は、シートが給送される給送口と、前記シートが排出される排出口と、前記給送口から給送されたシートを反転案内し、前記排出口から排出するための略U字状の反転搬送路と、前記反転搬送路に設けられて前記シートを搬送するシート搬送手段と、を備え、前記反転搬送路が、内側壁と前記内側壁に対向する外側壁とによって形成され、前記外側壁が、シート搬送方向の上流側部分と下流側部分とに分割されて夫々が前記内側壁に対して開閉可能に支持されている。
【００１６】
上記目的を達成するため、本発明の画像読取装置は、原稿を反転搬送するシート反転搬送装置と、前記シート反転搬送装置によって搬送される原稿を読み取る画像読取手段と、を備え、前記シート反転搬送装置が、上記シート反転搬送装置であり、前記画像読取手段が、前記シート反転搬送装置の反転搬送路の前記原稿の反転開始位置より原稿搬送方向の下流側に設けられている。
【００１７】
上記目的を達成するため、本発明の画像読取形成装置は、原稿の画像を読み取る画像読取装置と、前記画像読取装置の画像読取情報に基づいてシートに画像を形成する画像形成装置と、を備え、前記画像読取装置が上記画像読取装置である。
【発明の効果】
【００１８】
本発明のシート反転搬送装置は、外側壁が、シート搬送方向の上流側部分と下流側部分とに分割されて内側壁に対して接近離間可能に備えられているので、ジャムシートの位置応じて、上流側部分と下流側部分とを開くことができて、ジャムシートの除去を容易に、かつ速やかに行うことができる。
【００１９】
本発明の画像読取装置は、ジャム原稿の除去を容易に、かつ速やかに行えるシート反転搬送装置を備えているので、画像読取能率の向上させることができる。
【００２０】
本発明の画像読取形成装置は、ジャム原稿の除去を容易に、かつ速やかに行えるシート反転搬送装置を備えた画像読取装置を備えているので、画像形成能率を向上させることができる。
【発明を実施するための最良の形態】
【００２１】
以下、本発明の実施形態のシート反転搬送装置、このシート反転搬送装置を備えた画像読取装置、この画像読取装置及び画像形成装置を備えた画像読取形成装置としてのファクシミリを図に基づいて説明する。
【００２２】
以下、（１）ファクシミリ、（２）画像読取装置とシート反転搬送装置、（３）画像形成装置の順に説明する。
【００２３】
（１）ファクシミリ
図３は、画像読取形成装置としてのファクシミリ１０の外観斜視図である。図４は、ファクシミリ１０の、シートとしての原稿Ｄ及び被記録紙Ｐの搬送方向に沿った概略断面図である。
【００２４】
ファクシミリ１０は、ファクシミリ本体１０Ａの手前側に画像読取装置２０を有し、その背面側に画像形成装置３０を有している。ファクシミリ１０は、ファクシミリ本体１０Ａの上部で側部に配設された操作部１６の入力キー、あるいはタッチパネルからユーザによって操作指示情報を入力されると、その情報に基づいて作動するようになっている。操作部１６は、ファクシミリ１０の動作状況も表示するようになっている。
【００２５】
ファクシミリ１０は、ユーザによってコピーモードを選択された場合、画像読取装置２０で読み取った原稿Ｄの画像読取情報を自己の画像形成装置３０で被記録紙Ｐに形成するようになっている。また、ファクシミリ１０は、ユーザによってファクシミリモードを選択された場合、画像読取装置２０で読み取った原稿Ｄの画像読取情報を他のファクシミリに送信するようになっている。さらに、ファクシミリ１０は、他のファクシミリから送信されてきた画像読取情報を画像形成装置３０で被記録紙Ｐに自動的に形成することもできるようになっている。
【００２６】
ファクシミリ１０は、画像読取装置２０と画像形成装置３０とが設置面に対して並列に配列されて、高さが低くなっている。
【００２７】
また、ファクシミリ１０は、画像形成装置３０のプロセスカートリッジ３１を本体１０Ａから取り出せるようになっている。すなわち、後述する画像形成装置３０は、光学系１からの画像読取情報に基づいたレーザ光をプロセスカートリッジ３１の感光ドラム７に照射して静電潜像を形成し、プロセスカートリッジ３１内の不図示の現像器によって、その静電潜像を現像剤（トナー）で現像してトナー像にするようになっているが、ユーザが開閉部材８を上方に開放すると、プロセスカートリッジ３１を上方に取り出して、トナーの補給、メンテナンスなどを行えるようになっている。
【００２８】
しかも、ファクシミリ１０は、画像読取装置２０とプロセスカートリッジ３１との間に光学系１が配置されて、光学系１とプロセスカートリッジ３１の間にプロセスカートリッジ３１の着脱空間ＳＰ１が形成されているので、プロセスカートリッジ３１を簡単に、かつ速やかに着脱できるようになっている。
【００２９】
（２）画像読取装置とシート反転搬送装置
画像読取装置２０には、シート反転搬送装置１３が組み込まれているので画像読取装置とシート反転搬送装置とを同時に説明する。なお、シート反転搬送装置は、画像読取装置のみに設けられるのではなく、シートを反転搬送する、例えば、画像形成装置、シートを綴じるシートに処理を施す処理装置などに設けてもよい。このため、シート反転搬送装置は、画像読取装置のみに設けられるものではない。
【００３０】
まず、画像読取装置２０の概略動作を説明する。図１、図２において、画像読取装置２０は、原稿記載の画像を読み取るようになっている。画像読取装置２０は、原稿トレイ１１に画像面を上側にして載置された複数枚の原稿Ｄを、後述するシート反転搬送装置１３によって最上位のものから１枚ずつ矢印ａ方向に搬送して、シート反転搬送装置１３で反転させ、読取位置に停止した画像読取手段としての密着型のイメージセンサ１５によって画像を読み取る。画像読取情報は、画像形成装置３０の光学系１に送られる。その後、画像読取装置２０は、画像を読み取った原稿をシート反転搬送装置１３で矢印ｂ方向に搬送して、装置外へ排出する。
【００３１】
次に、画像読取装置２０の構成と動作を同時に説明する。原稿トレイ１１は、複数枚の原稿Ｄが積載されるようになっている。原稿トレイ１１には、原稿の搬送方向と直交する方向（原稿の幅方向）にスライド可能なスライダ１１ａが設けられている。スライダ１１ａは、原稿トレイ１１上に載置された原稿Ｄの両端を揃えるようになっている。
【００３２】
シート反転搬送装置１３は、反転メインローラ１３ａの円弧状（略Ｕ字状）の反転搬送路としてのＵターンパス１３ｂを有している。Ｕターンパス１３ｂは給送口３３より給送された原稿を排出口３２から排出するように原稿Ｄを搬送する。このＵターンパス１３ｂには、原稿Ｄの有無を検出する不図示の原稿有無センサ、分離ローラ１３ｃ及び分離パット１３ｄ、原稿Ｄを搬送する反転メインローラ１３ａ及び対向するころ１３ａ１，１３ａ２、排紙ローラ１３ｅ及び従動ころ１３ｅ１、原稿Ｄの先端部及び後端部を検出する不図示の原稿エッジセンサ等が設けられている。駆動回転体としての反転メインローラ１３ａ及び対向する従動回転体としての従動ころ１３ａ１，１３ａ２と、駆動回転体としての排紙ローラ１３ｅ及び従動回転体としての従動ころ１３ｅ１とは、シート搬送手段の回転体対を構成している。
【００３３】
Ｕターンパス１３ｂ内に配置された密着型のイメージセンサ１５は、光源としてのＬＥＤアレイから原稿Ｄの画像形成面に光を照射し、画像形成面で反射した反射光をセルフォックレンズ（商標）でセンサ素子に結像して画像を読み取るようになっている。
【００３４】
原稿トレイ１１は、ユーザが原稿Ｄを載置するとき、原稿Ｄの読取画像面を上側にして装置の手前側（図１、図２の左側）からセットされるようになっている。原稿トレイ１１に積載された原稿は、不必要に分離ローラ１３ｃと分離パット１３ｄとの間に進入しないように不図示の原稿ストッパによって受け止められるようになっている。不図示の原稿有無センサは、原稿トレイ１１に原稿Ｄが積載されているか否かを検知するようになっている。
【００３５】
そして、ユーザによって操作部１６（図３参照）に操作情報が入力されると、不図示の駆動部が作動開始する。すると、分離ローラ１３ｃが回転を開始する。分離ローラ１３ｃは、分離パット１３ｄと協働して、原稿Ｄを１枚ずつに分離して、最上位の原稿Ｄのみ、Ｕターンパス１３ｂを形成する上外周ガイドユニット１３ｂ１と内周ガイドユニット１３ｂ２との間へ送り込む。すなわち、原稿は、Ｕターンパス１３ｂの内側壁１３ｂ２ａと、外側壁１３ｂ１ａとの間に送り込まれる。そして、メインローラ１３ａと従動ころ１３ａ１，１３ａ２は、Ｕターンパス１３ｂの案内によって、原稿を密着型のイメージセンサ１５の読取位置へと搬送する。
【００３６】
密着型のイメージセンサ１５は、不図示の原稿エッジセンサが原稿Ｄの先端部を検知した位置から所定量搬送されたところで、原稿の画像の読み取りを開始する。そのとき、読取白地板１５ａは、原稿を密着型のイメージセンサ１５に押し付けて、イメージセンサ１５の読取精度を高めている。また、Ｕターンパス１３ｂの内側壁１３ｂ２ａと外側壁１３ｂ１ａとが原稿を案内している。メインローラ１３ａは、原稿の読取領域幅全体に位置しているのではなく、読取領域の幅方向中央部分の、幅約２０ｍｍ（参考数値、本発明を限定するものではない）の位置にある。
【００３７】
その後、密着型イメージセンサ１５は、不図示の原稿エッジセンサが原稿Ｄの後端部を検知してから、原稿が所定量搬送されたところで、画像の読み取りを終了する。そして、排紙ローラ１３ｅと従動ころ１３ｅ１は、原稿Ｄを矢印ｂ方向（図４参照）に排出する。このようにして、画像読取装置２０は、不図示の原稿有無センサが原稿無しを検知するまで上述した読取動作を繰り返す。
【００３８】
次に、シート反転搬送装置１３における、ジャム原稿の除去操作及びイメージセンサ１５の清掃操作について説明する。
【００３９】
図２は、Ｕターンパス１３ｂを開放した図である。内周ガイドユニット１３ｂ２は、ファクシミリ本体１０Ａに固定されている。内周ガイドユニット１３ｂ２に設けた回動中心としての回転中心軸１７に、上外周ガイドユニット１３ｂ１が矢印ｃ方向へ、下外周ガイドユニット１３ｂ３が矢印ｄ方向へ、それぞれＵターンパス１３ｂを開閉するために回転できるように支持されている。このため、上外周ガイドユニット１３ｂ１は、原稿搬送方向の下流側が回動中心になっている。また、下外周ガイドユニット１３ｂ３は、原稿搬送方向の上流側が回動中心になっている。
【００４０】
また、内周ガイドユニット１３ｂ２には、読取白地板１５ａ、反転メインローラ１３ａ及び排紙ローラ１３ｅ、これらのローラを駆動する不図示のモータなどが設けられている。上外周ガイドユニット１３ｂ１には、分離ローラ１３ｃ、反転メインローラ１３ａに接触する従動ころ１３ａ１などが設けられている。下外周ガイドユニット１３ｂ３には、反転メインローラ１３ａに接触する従動ころ１３ａ２、密着型のイメージセンサ１５、排紙ローラ１３ｅに接触する従動ころ１３ｅ１などが設けられている。
【００４１】
Ｕターンパス１３ｂは、内周ガイドユニット１３ｂ２と、内周ガイドユニット１３ｂ２に原稿搬送方向の上流側部分で対向する上外周ガイドユニット１３ｂ１、及び下流側部分で対向する下外周ガイドユニット１３ｂ３との対向面で形成されている。すなわち、内周ガイドユニット１３ｂ２の外面がＵターンパス１３ｂの内側壁１３ｂ２ａを形成している。内周ガイドユニット１３ｂ２に対向している上外周ガイドユニット１３ｂ１及び下外周ガイドユニット１３ｂ３の面が、Ｕターンパス１３ｂの外側壁１３ｂ１ａ，１３ｂ３ａを形成している。
【００４２】
Ｕターンパス１３ｂ内に原稿が詰まったとき、ユーザが上外周ガイドユニット１３ｂ１を上方へ、下外周ガイドユニット１３ｂ３を下方へ回転させると、Ｕターンパス１３ｂを構成している内側壁１３ｂ２ａから、外側壁１３ｂ１ａ，１３ｂ３ａが離れて、Ｕターンパス１３ｂが開放される。また、分離パット１３ｄ、反転メインローラ１３ａ、排紙ローラ１３ｅから、分離ローラ１３ｃ、従動ころ１３ａ１，１３ａ２，１３ｂ３が離れる。上外周ガイドユニット１３ｂ１は分離ローラ１３ｃを支持しているので、分離ローラ１３ｃは外側壁の上流側部分１３ｂ１ａと一体で回動する。また、下外周ガイドユニット１３ｂ３は密着型イメージセンサ１５を支持しているので、密着型イメージセンサ１５は外側壁の下流側部分１３ｂ３ａと一体で回動する。
【００４３】
この結果、Ｕターンパス１３ｂの内側壁１３ｂ２ａと外側壁１３ｂ１ａ，１３ｂ２ａとの間に詰まったジャム原稿、分離パット１３ｄと分離ローラ１３ｃとの間に詰まったジャム原稿、反転メインローラ１３ａ及び排紙ローラ１３ｅと従動ころ１３ａ１，１３ａ２，１３ｂ３との間に詰まったジャム原稿などを、容易かつ速やかに除去することができる。
【００４４】
また、固定の内周ガイドユニット１３ｂ２に、読取白地板１５ａ、反転メインローラ１３ａ及び排紙ローラ１３ｅ、これらのローラを駆動する不図示のモータなどを設けてあるため、上外周ガイドユニット１３ｂ１と下外周ガイドユニット１３ｂ３を軽量にすることができる。このため、上外周ガイドユニット１３ｂ１と下外周ガイドユニット１３ｂ３を片手で、容易に回転させることができて、ジャム処理を容易かつ速やかに行うことができる。
【００４５】
また、軽量になると、上外周ガイドユニット１３ｂ１と下外周ガイドユニット１３ｂ３との開閉が楽になり、開閉動作を静かに行うことができて、開閉時の衝撃音を小さくすることができる。さらに、開閉時の衝撃も少なくなるので、原稿搬送精度の低下を防止することもできる。また、回転中心軸１７に加わる加重が従来よりも少なくなり、回転中心軸１７に関する機構を簡略化することができて、機構を小型化、低コスト化することができる。
【００４６】
さらに、回転する下外周ガイドユニット１３ｂ３に密着型イメージセンサ１５が設けられているので、下外周ガイドユニット１３ｂ３が自重で所定の位置に開放されるため、ユーザが下外周ガイドユニット１３ｂ３を片手で支持して、ジャム処理作業を行う必要がなくなり、ジャム処理作業を容易に除去することができるようになる。
【００４７】
（３）画像形成装置
図４に示す画像形成装置は、複写機であるが、画像形成装置には、複写機、プリンタなどがあるので、複写機に限定されるものではない。
【００４８】
画像形成装置３０は、光学系１、被記録紙給紙部２、転写部４、定着器５、被記録紙排出部６、及びプロセスカートリッジ３１等を備えている。画像形成装置３０は、画像読取装置２０から、あるいは外部のファクシミリから光学系１に送られてきた画像読取情報に基づいて被記録紙Ｐに画像を形成するようになっている。
【００４９】
以下、画像形成装置の構成と動作を同時に説明する。
【００５０】
光学系１は、画像読取装置２０や外部のファクシミリからの画像読取情報に基づいて、感光ドラム７に光を照射するようになっている。光学系１には、レーザダイオード、ポリゴンミラー、スキャナーモータ、結像レンズ等が収納してある。
【００５１】
光学系１は、例えば、自機の画像読取装置２０から画像読取情報が送られてくると、レーザダイオードが画像信号に応じて発光して、ポリゴンミラーに画像光として照射する。このポリゴンミラーは、スキャナーモータによって高速回転しながら、画像光を反射して、結像レンズを介して回転する感光ドラム７を照射する。感光ドラム７の表面には、選択的に露光されて画像読取情報に応じた静電潜像が形成される。
【００５２】
図４に示すファクシミリ本体１０Ａの底部には、被記録紙Ｐの一部を装置前面（図３で左側）から突出させて支持する被記録紙給紙部２を設けてある。被記録紙給紙部２は、ファクシミリ本体１０Ａの内部に設けられた被記録紙積載台２ａを備えている。被記録紙積載台２ａには、被記録紙Ｐの搬送方向と直角方向（被記録紙Ｐの幅方向）にスライド可能に設けられたマルチスライダ２ｂを備えてある。マルチスライダ２ｂは、Ａ４サイズやレターサイズ等の定型サイズの被記録紙はもとより、葉書や封筒といった不定形サイズの被記録紙の両側部（サイド）を揃えることができるようになっている。
【００５３】
被記録紙積載台２ａの上方には、画像読取装置２０が配設されている。画像読取装置２０の下外周ガイドユニット１３ｂ３とシート積載手段としての被記録紙積載台２ａとの間には、下外周ガイドユニット１３ｂ３を下方に回転させることのできる領域ＳＰ２が形成されている。この結果、下外周ガイドユニット１３ｂ３を下方に回転させて、シート反転搬送装置１３のＵターンパス１３ｂの外側壁１３ｂ３ａを開いて、ジャム原稿の除去、イメージセンサ１５の清掃が容易に行えるようになっている。
【００５４】
被記録紙Ｐを搬送する被記録材搬送部３は、画像形成装置３０の装置奥側下方に配置されている。被記録材搬送部３は、被記録紙給紙部２に積載された被記録紙Ｐを、ピックアップローラ３ａと、不図示の押圧ばねによって圧接された分離パッド３ｂとで１枚ずつ分離して、転写部４に搬送する。そして、画像転写後の被記録紙Ｐを定着器５に搬送し、定着後の被記録紙Ｐは被記録紙排出部６によって排出される。
【００５５】
転写部４は、画像形成部で感光ドラム７に形成されたトナー像を被記録紙Ｐに転写するようになっている。転写部４は、感光ドラム７に形成されたトナー像と逆極性の電圧を印加転された転写ローラ４ａを備えている。転写部４は、プロセスカートリッジ３１の感光ドラム７に被記録紙Ｐを転写ローラ４ａによって押圧して、感光ドラム７上のトナー像を被記録紙Ｐに転写する。被記録紙Ｐは、被記録材搬送部３によって、感光ドラム７のトナー像の位置に合わせて転写部４に送り込まれる。
【００５６】
定着器５は、駆動回転する駆動ローラ５ａと定着部材５ｂとを備えている。駆動ローラ５ａと発熱部である定着部材５ｂは、被記録紙Ｐを挟んで回転して搬送しながら被記録紙Ｐを加熱加圧して、被記録材Ｐにトナー像を定着する。定着器５は、プロセスカートリッジ３１の上方に配置されている。このため、定着器５の熱は、ファクシミリ本体１０Ａ内にこもることなく、被記録紙排出部６から外部に排出されるようになっている。なお、転写部４と定着部５とで、画像形成部を構成している。
【００５７】
被記録紙排出部６は、トナー像を定着された被記録紙Ｐの記録画像面を下向きしたフェイスダウン状態で被記録紙Ｐを排紙ローラ対６ｂによって被記録紙トレイ６ａに排出する。被記録紙トレイ６ａ上には、画像形成面を下側にした被記録紙がページ順に積載される。
【００５８】
以上説明した、画像形成装置３０は、被記録材搬送部３、転写部４、定着器５、被記録紙排出部６、プロセスカートリッジ３１等を駆動する不図示の駆動部を備えている。この駆動部は、駆動源としてのモータからの駆動力をギア列によって各回転体を回転させるようになっている。
【図面の簡単な説明】
【００５９】
【図１】画像読取装置の正面断面図である。
【図２】図１の画像読取装置において、上外周ガイドユニットと下外周ガイドユニットとを内周ガイドユニットに対して開いて、Ｕターンパスを開いた状態の図である。
【図３】ファクシミリの外観斜視図である。
【図４】図３のファクシミリの、原稿、シートの搬送方向に沿った概略断面図である。
【図５】従来のシート反転搬送装置の図である。（ａ）は概略正面断面図である。（ｂ）は原稿搬送ユニットを上側に回動させた図である。
【図６】他の従来のシート反転搬送装置の図である。（ａ）は概略正面断面図である。（ｂ）は原稿搬送ユニットを上側に回動させた図である。（ｃ）は（ｂ）の状態からカバーを開いた図である。
【符号の説明】
【００６０】
ＳＰ１    プロセスカートリッジの着脱空間
ＳＰ２    下外周ガイドユニットの下方へ回転許容する領域
Ｄ      原稿（シート）
Ｐ      被記録紙（シート）
２      被記録紙給紙部
２ａ    被記録紙積載台（シート積載手段）
３      被記録材搬送部
４      転写部
５      定着器
６      被記録紙排出部
７      感光ドラム
８      開閉部材
１０      ファクシミリ（画像読取形成装置）
１０Ａ    ファクシミリ本体
１１      原稿トレイ
１３      シート反転搬送装置
１３ａ    反転メインローラ（回転体対、シート搬送手段、駆動回転体）
１３ａ１  従動ころ（回転体対、シート搬送手段）
１３ａ２  従動ころ（回転体対、シート搬送手段）
１３ｂ    Ｕターンパス（反転搬送路）
１３ｂ１  上外周ガイドユニット
１３ｂ１ａ  外側壁
１３ｂ２  内周ガイドユニット
１３ｂ２ａ  内側壁
１３ｂ３  下外周ガイドユニット
１３ｂ３ａ  外側壁
１３ｅ    排紙ローラ（回転体対、シート搬送手段、駆動回転体）
１３ｅ１  従動ころ（回転体対、シート搬送手段）
１５      密着型のイメージセンサ（画像読取手段）
１７      回転中心軸（回動中心）  
２０      画像読取装置
３０      画像形成装置
３１      プロセスカートリッジ
３２      排出口
３３      給送口
【図１】
2006240767.tif 000003
【図２】
2006240767.tif 000004
【図３】
2006240767.tif 000005
【図４】
2006240767.tif 000006
【図５】
2006240767.tif 000007
【図６】
2006240767.tif 000008